(57)【要約】【課題】パッドの持ち運び作業が不要で入浴介助者の負担を軽減でき、しかも入浴時や運搬時の必要時に被介助者の身体を確実に保持でき、安全に入退浴をすることのできる入浴用機器を提供すること。【解決手段】被介助者を載置する載置部２を備えた入浴用機器であって、前記載置部２における幅方向の外方側が内方側に対し上方に位置するように可動させることができる可動機構と、前記可動機構により可動させられた前記部位を所定位置に維持する位置維持機構と、を備え、前記可動機構および前記位置維持機構により、前記部位を可動させ前記所定位置に維持することにより被介助者の身体を保持し易くした。【選択図】図５
2014061059.tif 000002
【特許請求の範囲】
【請求項１】
被介助者を載置する載置部を備えた入浴用機器であって、
前記載置部における幅方向の外方側が内方側に対し上方に位置するように前記載置部の一部の部位を可動させることができる可動機構と、
前記可動機構により可動させられた前記部位を所定位置に維持する位置維持機構と、
を備えたことを特徴とする入浴用機器。
【請求項２】
前記載置部は、少なくとも、前記被介助者の体幹を支持するシートを有しており、前記可動機構は、前記載置部の長辺方向に沿って前記シートの前記部位を他の部位に対して可動させるものである、
ことを特徴とする請求項１に記載の入浴用機器。
【請求項３】
前記部位は、前記シートの左右幅方向に対して各々設けられる、
ことを特徴とする請求項２に記載の入浴用機器。
【請求項４】
前記可動機構および前記位置維持機構の操作により、前記部位を個々独立して可動させ前記所定位置に維持できるようした、
ことを特徴とする請求項３に記載の入浴用機器。
【請求項５】
前記シートの幅方向両側の前記部位それぞれを、個々独立に可動させ前記所定位置に維持する操作と、前記部位それぞれを同時に可動させ前記所定位置に維持する操作とを、入浴介助者が任意に選択できるようにした、
ことを特徴とする請求項３に記載の入浴用機器。
【請求項６】
前記位置維持機構には、前記部位を維持する位置が複数設けられる、
ことを特徴とする請求項１ないし５のいずれかに記載の入浴用機器。
【請求項７】
前記載置部に、マット部材が敷設され、前記マット部材は前記部位とその他の部位との間に形成される空隙を覆うように敷設される、
ことを特徴とする請求項１ないし６のいずれかに記載の入浴用機器。
【請求項８】
前記部位に、入浴介助者が掴める掴み部を形成した、
ことを特徴とする請求項１ないし７のいずれかに記載の入浴用機器。
【発明の詳細な説明】
【技術分野】
【０００１】
本発明は、被介助者を載置する載置部を備えた担架等の入浴用機器に関するものである。
【背景技術】
【０００２】
従来から、寝たきりの高齢者や身体不自由者などの被介助者を載せた担架をストレッチャーに載せて搬送し、浴槽に横付けした後、担架を浴槽内の支持台の上方に移動させ、浴槽を昇降機構により上昇させて担架ごと被介助者を湯に浸漬し、被介助者を入浴させる介護用の入浴装置が知られている（例えば、特許文献１参照）。
【０００３】
ところで、担架などの入浴用機器は、車椅子やストレッチャーなどの他の介護機器との間で、被介助者を乗り降りさせたり、また、入浴介助者が担架の載置部上で被介助者の洗身作業を行ったりするのが日常的であることを考慮すると、載置部面は平坦な態様であることが望ましい。
【０００４】
しかしながら、種々の原因により本来は腹部のほうに凸であるべき脊柱が後方に凸に変形する円背（猫背）の被介助者や関節の可動域が制限され身体に拘縮ができ、真上を向く仰臥姿勢を取らせるのが不可能な被介助者を載せることも多い。
【０００５】
そのため、平坦な態様のままでは、載置部面上で被介助者の身体を充分に保持することは難しく、載置部上で身体のバランスを崩した結果、入浴している際に浴湯中にずり込み溺れてしまったり、あるいは、担架運搬時にサイドガードを乗り越えて被介助者が載置部上から転落して大怪我をしたり、最悪の場合には死亡に至る危険性も危惧されており、従来の担架ではこのような安全上の問題点を抱えていた。
【０００６】
この安全上の問題点を解決するため、入浴介助の現場では、身体と担架の載置部面との間に差し込み仰臥位や側臥位の姿勢をとらせるゲル状パッドなどが利用されている（例えば非特許文献１参照）。
【先行技術文献】
【特許文献】
【０００７】
【特許文献１】特開２００１−６７４６５号公報
【非特許文献】
【０００８】
【非特許文献１】ＯＧ  ＧＩＫＥＮ  ＧＥＮＡＲＡＬ  ＣＡＴＡＬＯＧ  ２０１２−１３  ３０頁（２０１２年５月１日発行）
【発明の概要】
【発明が解決しようとする課題】
【０００９】
しかしながら、このゲル状素材のパッドには次のような問題点を有していた。すなわち、従来のパッドは入浴中にも使用するため、浴湯の浮力によりパッド位置が不用意にずれないように重量を重くしておく必要があり、現在、実際に市販されているパッドの重量は２．４〜４．７ｋｇと非常に重たくなっていた。
【００１０】
しかも、被介助者の身体の左右側位置にパッドを差し込む必要がある場合には、入浴介助者は計二個のパッドを用意しなければならず、重量がさらに嵩み、都度の持ち運び作業が極めて大変であり、特に小柄で腕力のない女性等の入浴介助者にとっては負担が大きくなっていた。
【００１１】
本発明は、上述した問題点に鑑みてなされたものであり、パッドの持ち運び作業が不要で入浴介助者の負担を軽減でき、しかも入浴時や運搬時の必要時に被介助者の身体を確実に保持でき、安全に入退浴することのできる入浴用機器を提供することを目的としている。
【課題を解決するための手段】
【００１２】
請求項１に係る本発明の入浴用機器は、被介助者を載置する載置部を備えた機器であって、前記載置部における幅方向の外方側が内方側に対し上方に位置するように前記載置部の一部の部位を可動させることができる可動機構と、前記可動機構により可動させられた前記一部の部位を所定位置に維持する位置維持機構と、を備えたことを特徴とする。ここで、被介助者とは、入浴用機器を用いた入浴介助者の介助を受けて入浴する入浴者のことをいう。
【００１３】
本発明によれば、移乗時は平坦な状態とすることで楽に被介助者を担架に移乗させることができ、入浴時は、載置部の前記一部の部位を適宜可動させ所定位置に維持することにより、円背や拘縮の症状を有する被介助者の身体を支え載置部上で確実に保持することができるので、載置部上で身体バランスを崩した結果、入浴している際に浴湯中にずり込み溺れてしまったり、担架運搬時にサイドガードを乗り越えて被介助者が載置部上から転落して大怪我をしたりする危険性を軽減でき、被介助者を安全に入退浴させることができる。また、本発明によれば、従来のように重量物であるパッドを持ち運びする作業は不要となり、入浴介助者の作業負担も著しく軽減できることになる。
【００１４】
さらにまた、従来では、被介助者が手摺を掴んだ状態で上腕部と載置部表面との間に空隙ができていたので、入浴中に腕がだるくなり、入浴開始から終了までの間、手摺を絶えず掴んでおくことが困難であったが、本発明によれば、本発明の可動機構と位置維持機構とを採用することで、肩から肘の上腕部近傍を載置部で支持することができ、入浴中に上腕部が疲労することを低減し、よりリラックスして入浴をすることができる。
【００１５】
請求項２では、載置部は、少なくとも、前記被介助者の体幹を支持するシートを有しており、前記可動機構は、前記載置部の長辺方向に沿って前記シートの前記部位を他の部位に対して可動させるものである。請求項２によれば、シートで被介助者の体幹を確実に支持でき、被介助者の身体を保持するうえで好ましいものである。
【００１６】
請求項３では、前記部位は、前記シートの左右幅方向に対して各々設けられる。請求項３によれば、可動させたシートの部位で被介助者の体幹を確実に支持でき、被介助者の身体を保持するうえで好ましいものである。
【００１７】
請求項４では、前記可動機構および前記位置維持機構の操作により、前記部位を個々独立して可動させ前記所定位置に維持できるようした。請求項４によれば、被介助者の症状に応じて載置部の部位を可動させることができ、被介助者の身体を保持する上で一層好ましいものとなる。例えば、左半身側に麻痺や拘縮があり右方向に傾倒気味の被介助者に対しては、左方向の外方側の部位を可動させ所定位置に維持することで適切な身体保持ができる。
【００１８】
請求項５では、前記シートの幅方向両側の前記部位それぞれを、個々独立に可動させ前記所定位置に維持する操作と、前記部位それぞれを同時に可動させ前記所定位置に維持する操作と、入浴介助者が任意に選択できるようにした。請求項５によれば、使用用途に応じて、入浴介助者が操作の方法を任意に選択できるので、操作性や利便性に優れたものとなる。例えば、いずれか一方の部位のみを可動させたい場合は、入浴介助者はその部位が設けられる側に移動し操作すればよく、また、両方の部位を可動させたい場合は、入浴用機器の一方の側から前記部位の可動操作ができるので、入浴介助者が可動操作をするために、それぞれの側に移動する必要がなくなり、移動時間を短縮でき、より効率的な入浴介助ができる。
【００１９】
請求項６では、前記位置維持機構には、前記部位を維持する位置が複数設けられる。請求項６によれば、前記部位を維持する位置が複数設けられるので、被介助者の症状や体格に合わせて適切な部位の位置を選択することができ、身体を保持する上で一層好ましいものとなる。
【００２０】
請求項７では、載置部に、マット部材が敷設され、マット部材は前記部位とその他の部位との間に形成される空隙を覆うように敷設される。請求項７によれば、例えば、可動させた部位を可動前の初期位置に戻す場合などにおいて、可動させた部位と他の部位との間に被介助者の身体や皮膚が挟まれて怪我したり創傷したりするという危険性を低減することができる。
【００２１】
請求項８では、前記部位に入浴介助者が掴める掴み部を形成する。請求項８によれば、部位を可動させるときに掴み部を掴み易く、部位の可動操作を行う上で好ましいものとなる。
【発明の効果】
【００２２】
本発明によれば、身体の左右側位置にパッドを持ち運ぶ作業が不要で入浴介助者の負担を軽減でき、しかも入浴時や運搬時の必要時に被介助者の身体を確実に保持でき、安全に入退浴をすることができる。
【図面の簡単な説明】
【００２３】
【図１】本発明の実施形態に係る入浴用機器の一例である担架の全体の斜視図である。
【図２】図１のＡ−Ａ矢視方向の断面図であり、外方側の部位が回動していない初期位置に保持されている状態を示す。
【図３】図２に対応し、外方側の部位が第１の係合位置で保持されている状態の拡大断面図である。
【図４】図２に対応し、外方側の部位が第２の係合位置で保持されている状態の拡大断面図である。
【図５】図１に対応し、外方側の部位が第１の係合位置で保持されている場合の担架の全体の斜視図である。
【図６】図１の担架において、マット部材で覆われている担架の一部を示す斜視図である。
【図７】本発明の他の実施形態に係る入浴用機器の要部の斜視図である。
【図８】図７のＢ−Ｂ矢視方向の断面図であり、両外方側の部位が回動していない初期位置に保持されている状態を示す。
【図９】図８に対応し、両外方側の部位が回動して保持されている状態の拡大断面図である。
【図１０】図８に対応し、両外方側の部位のうち、一方の外方側の部位のみが回動して保持されている状態の拡大断面図である。
【発明を実施するための形態】
【００２４】
以下、添付した図面を参照して、本発明の実施の形態に係る入浴用機器を説明する。図１は、本発明の実施形態に係る入浴用機器の一例である担架の斜視図である。図２は、同担架のＡ−Ａ線に沿う断面図である。
【００２５】
入浴用機器は、例えば不図示のストレッチャーに載置される担架１である。ストレッチャーは、被介助者を昇降浴槽等の各種浴槽に搬送するための構造をもった設備をいい、例えば入浴時において、昇降可能な昇降浴槽の側部にストレッチャ−を連結させ、ストレッチャーから担架１を分離して昇降浴槽内に設けた支持台に移送して固定する際に用いられる。そして、その後に、湯を満たした昇降浴槽を上昇させて被介助者を入浴させる。
【００２６】
担架１は、例えば樹脂成形で製造されており、載置部２と、サイドガード３と、手摺４と、掴み部５と、枕部６と、を有する。載置部２は、大別して被介助者の頭部が載置される第１のシート２ａと、肩から腰までの主に体幹が載置される第２〜第３のシート２ｂ〜２ｃと、主に被介助者の臀部が載置される第４のシート２ｄと、主に被介助者の脚部が載置される第５〜第７のシート２ｅ〜２ｇとを有する。このように載置部２は、複数の第１〜第７のシート２ａ〜２ｇに分割され、被介助者の身長方向（長手方向）に沿って順次配置されて構成される。
【００２７】
第１〜第７のシート２ａ〜２ｇは、担架本体を構成する。担架本体はその裏面に鋼材からなる支持部材によって互いに接続されている。担架本体は、第１〜第７のシート２ａ〜２ｇそれぞれの間に設けた空隙でそれぞれ上方または下方に折り曲げ可能とされ、被介助者の膝を折り曲げたり、被介助者をリクライニング状態にすることができるようになっている。
【００２８】
次に、これら第１〜第７のシート２ａ〜２ｇを説明する。第１のシート２ａは、主に被介助者の頭部を載置するものであり、枕部６が第１のシート２ａから着脱可能に搭載されている。枕部６の下面には不図示の突起部があり、この突起部が第１のシート２ａから第２のシート２ｂにかけて形成した溝７ａに沿って長手方向に摺動可能でかつ溝７ａの任意位置に固定可能であり、これにより、枕部６は被介助者の身長や介助状態、その他の介助条件に合わせた適宜位置に固定することができる。
【００２９】
第２のシート２ｂは、主に被介助者の体幹の上部側を載置することができるものであり、幅方向において、内方側の部位２ｂ１と、この内方側の部位２ｂ１の幅方向両側で内方側に対して外方側の部位２ｂ２，２ｂ２と、に分離されている。
【００３０】
外方側の部位２ｂ２，２ｂ２は、内方側の部位２ｂ１よりも上方に可動可能であり、また、内方側の部位２ｂ１は、第１のシート２ａと一体に形成されている。溝７ａは、第１のシート２ａから内方側の部位２ｂ１にかけて長手方向に形成されている。
【００３１】
第３のシート２ｃは、主に被介助者の体幹の下部側を載置することができる。第４のシート２ｄは、主に被介助者の臀部を載置することができるものであり、この第４のシート２ｄ上には、不図示の機構により、幅方向両側にスライド移動可能なスライド移動板２ｄ１が搭載されている。第４のシート２ｄ上にスライド移動板２ｄ１を設けたのは、載置部２上で被介助者の体位姿勢の変更や洗身作業を行う際に、被介助者の膝や腹部がサイドガード３に当たらないように被介助者の位置をスライド移動板２ｄ１で変更できるようにしたものである。第５のシート２ｅ〜第７のシート２ｇは、前述したように、主に被介助者の脚部を載置することができるものである。
【００３２】
また、第６のシート２ｆは、幅方向において、内方側の部位２ｆ１と、この内方側の部位２ｆ１の幅方向両側で内方側に対して外方側の部位２ｆ２，２ｆ２と、に分離されている。内方側の部位２ｆ１は、第７のシート２ｇと一体に形成されている。
【００３３】
第６のシート２ｆの外方側の部位２ｆ２，２ｆ２は、内方側の部位２ｆ１よりも上方に可動可能である。
【００３４】
サイドガード３は、第３のシート２ｃの幅方向両側に矢印Ｂ１方向に倒伏および起立可能に設けられたサイドガード３ａ，３ｂと、第５のシート２ｅの幅方向両側に矢印Ｂ２方向に倒伏および起立可能に設けられたサイドガード３ｃ，３ｄとから構成される。これらサイドガード３ａ〜３ｄは、倒伏して被介助者を担架１に載せ易くでき、また、起立して昇降浴槽まで運搬する際や洗身する際の被介助者の転落防止と、担架１に載せた状態で被介助者を入浴させる際に昇降浴槽内に被介助者がずり落ちたり、担架本体の幅方向側部から手足が食み出し、上昇中の昇降浴槽に当たり手足が怪我をすることを防止できる。
【００３５】
手摺４は、４ａ・４ｂを別個独立に回動可能に設けられており、入浴中は被介助者の掴む部分として使用できる位置に固定でき、移乗時には邪魔とならない位置まで跳ね上げることができる。
【００３６】
掴み部５は、第１のシート２ａと、第７のシート２ｇとのそれぞれに掴み部５ａ、５ｂとして形成されている。主に、掴み部５ａは、入浴介助者が第一のシート２ａをリクライニングさせる際や担架１を載せたストレッチャーを移動させる際に把持し、掴み部５ｂは、入浴介助者が担架１を載せたストレッチャーを移動させる際に把持する部分である。
【００３７】
図２を参照して本実施形態に係る担架１の特徴構成を説明する。図２は、図１のＡ−Ａ矢視方向の拡大部分断面図である。第２のシート２ｂにおいて、外方側の部位２ｂ２は、内方側の部位２ｂ１に対して、上方に位置するように、外方側の部位２ｂ２を可動させることができる可動機構として長手方向に延在するシャフト１０と、外方側の部位２ｂ２がシャフト１０を回動中心として矢印Ｃ１方向に回動すると、外方側の部位２ｂ２をその回動位置に維持する位置維持機構としてのリンク１１、リンク受け１２および圧縮バネ機構１３を有する。
【００３８】
シャフト１０は、その両端が外方側の部位２ｂ２と内方側の部位２ｂ１との間の空隙１５に配置され外方側の部位２ｂ２固定されたシャフト受け１６Ａ（一方のみ図示）の貫通孔１６ａを貫通してさらに外方に突出し、その突出端部が内方側の部位２ｂ１側面に設けられたシャフト受け１６Ｂ（一方のみ図示）により固定支持されている。
【００３９】
リンク１１は、内方側一端側が外方側の部位２ｂ２下面に設けた突出ピン１７が挿入される貫通孔１１ａを有し、突出ピン１７が貫通孔１１ａに挿通された状態で、この突出ピン１７回りに外方側他端側が回動可能となっている。リンク１１はまた、外方側他端側に突出部（係合ピン）１１ｂが形成されている。
【００４０】
リンク受け１２は、担架１の本体部の一部１８の上面に幅方向水平に固定されており、外方側から内方側にかけ第１リンク受け面１２ａ、第２リンク受け面１２ｂ、第３リンク受け面１２ｃを有する。第２リンク受け面１２ｂは、第１、第３リンク受け面１２ａ，１２ｃよりも上方側に高く形成されている。リンク受け１２は、また、第１リンク受け面１２ａと第２リンク受け面１２ｂとの間に第２リンク受け面１２ｂよりも上方に突出する突起部１２ｄを備える。
【００４１】
リンク受け１２の突起部１２ｄは、その外方側突起面１２ｄ１が内方側に向けて上昇勾配の斜面となっており、また、その内方側突起面１２ｄ２が垂直な面となっている。この内方側突起面１２ｄ２は、リンク１１の突出部（係合ピン）１１ｂが係合する第１の係合面となる。
【００４２】
リンク受け１２の第２リンク受け面１２ｂの内方端は、第３リンク受け面１２ｃに対して垂直な段差面１２ｅとなっている。この段差面１２ｅは、リンク１１の突出部（係合ピン）１１ｂが係合する第２の係合面となる。
【００４３】
圧縮バネ機構１３は、外方側の部位２ｂ２を矢印Ｃ２の回動方向に常時付勢している。ストッパ１４は、外方側の部位２ｂ２を水平位置で支持するためのストッパである。
【００４４】
以上の構成において、可動機構と位置維持機構との作用を説明する。外方側の部位２ｂ２を図２の位置（第１の位置）状態から、圧縮バネ機構１３に抗して、外方側の部位２ｂ２を後述の掴み部を用いて持ち上げてシャフト１０を中心にして矢印Ｃ１方向に回動させると、リンク１１は、自重により、突出ピン１７回りに外方側他端側が矢印Ｄ方向に回動する。
【００４５】
これに伴い、リンク１１の突出部（係合ピン）１１ｂは、リンク受け１２の第１リンク受け面１２ａ上を摺動し、突起部１２ｂの外方側突起面１２ｄ１を乗り越えて、第２リンク受け面１２ｂ上に載る。その段階で、外方側の部位２ｂ２の持ち上げを中止すると、外方側の部位２ｂ２は、圧縮バネ機構１３のバネ力により、矢印Ｃ２方向に回動するので、リンク１１の突出部（係合ピン）１１ｂは、リンク受け１２の第２リンク受け面１２ｂ上を外方側に摺動し、第１リンク受け面１２の内方側突起面１２ｄ２（第１の係合面）に係合する。この状態を図３に示す。これにより、外方側の部位２ｂ２は、内方側の部位２ｂ１よりも上方に傾斜した状態となると共に、この傾斜状態の位置（第２の位置）に保持される。
【００４６】
さらに、外方側の部位２ｂ２を後述の掴み部を用いて持ち上げてシャフト１０を中心にして矢印Ｃ１方向に回動させると、リンク１１は、自重により、突出ピン１７回りに外方側他端側が回動しつつ、リンク１１の突出部（係合ピン）１１ｂがリンク受け１２の第２リンク受け面１２ｂから第３リンク受け面１２ｃ上に載る。その段階で、外方側の部位２ｂ２の持ち上げを中止すると、外方側の部位２ｂ２は、圧縮バネ機構１３のバネ力により、矢印Ｃ２方向に回動し、これに伴い、リンク１１の突出部（係合ピン）１１ｂが、第３リンク受け面１２ｃ上を外方側に摺動し、段差面１２ｅ（第２の係合面）に係合する。この状態を図４に示す。これにより、外方側の部位２ｂ２は、内方側の部位２ｂ１に対してさらに上方に傾斜した状態となり、この傾斜した状態の位置（第３の位置）に保持される。
【００４７】
このようにして本実施形態では、担架１における長手方向複数の第１〜第７のシート２ａ〜２ｇのうち、第２のシート２ｂの外方側の部位２ｂ２，２ｂ２を回動させることで内方側の部位２ｂ１に対してその上方に傾斜した状態とし、かつ、その傾斜したそれぞれの位置に維持することができるようにしたので、それぞれの位置を適宜に選択して、円背や拘縮の症状を有する被介助者の身体を、前記外方側の部位２ｂ２，２ｂ２で支えて、確実に保持することできる。
【００４８】
その結果、本実施形態の担架１では、被介助者が載置部２上で身体バランスを崩し、入浴している際に浴湯中にずり込み溺れてしまったり、担架１の運搬時にサイドガード３ａ〜３ｄを乗り越えて被介助者が載置部２上から転落して大怪我をしたりする危険性を軽減でき、被介助者を安全に入退浴させることができる。
【００４９】
また、本実施形態の担架１では、被介助者の身体を、外方側の部位２ｂ２，２ｂ２で支えて、確実に保持することできるので、従来のように重量物であるパッドを持ち運びする作業は不要となり、入浴介助者の作業負担も著しく軽減できることになる。
【００５０】
なお、本実施形態では、リンク受け１２が備える係合面が２つの係合面（内方側突起面１２ｄ２、段差面１２ｅ）であるので、外方側の部位１２ｂ２の回動停止位置は、２つの位置となったが、リンク受け１２が備える係合面の数を１つにしてもよいし、３つ以上にしてもよいことは勿論である。
【００５１】
また、本実施形態では、肩から肘の上腕部近傍をシート２ｂの外方側の部位２ｂ２，２ｂ２で支持することができ、入浴中に上腕部が疲労することを低減し、よりリラックスして入浴をすることができる。
【００５２】
なお、図１では、第２のシート２ｂにおける一方の外方側の部位２ｂ２の説明をしたが、他方の外方側の部位２ｂ２も、一方の外方側の部位２ｂ２と同様に、可動機構および位置維持機構を備える。図５は、第２のシート２ｂの両外方側の部位２ｂ２，２ｂ２それぞれが、内方側の部位２ｂ１よりも上方に回動し、その回動位置で保持されている状態を示す。
【００５３】
なお、本実施形態では、第２のシート２ｂにおいてその外方側の部位２ｂ２，２ｂ２の説明をしたが、第６のシート２ｆの外方側の部位２ｆ２，２ｆ２も、同様に、可動機構および位置維持機構を具備しており、その内方側の部位２ｆ１よりも上方に回動させ、その回動位置で保持することができる。
【００５４】
なお、本実施形態では、載置部２を長手方向に複数のシートに分割し、そのうち、２箇所の分割シートにおいて、外方側の部位を回動可能としたが、勿論、１箇所の分割シートにのみ外方側の部位を回動可能としてもよいし、３箇所の分割シートに外方側の部位を回動可能としてもよい。
【００５５】
なお、図６に示すように、第４のシート２ｄを除いて、他のシート２ａ〜２ｃ、２ｅ〜２ｇには、個別に、クッション性を有するマット部材２０が配置されている。これらのマット部材２０のうち、第２のシート２ｂの外方側の部位２ｂ２，２ｂ２上のマット部材２０は、第１のシート２ａ上にまで跨っていることで、第１のシート２ａと第２のシート２ｂの外方側の部位２ｂ２との空隙２１上を覆っており、また、第２のシートの外方側の部位２ｂ２と第３のシート２ｃとの間の空隙２２上をマット部材２０ａで覆っている。これにより、例えば、外方側の部位２ｂ２を図３や図４で示す第１、第２の係合位置から図２で示す回動前の初期位置に戻す場合などにおいて、外方側の部位２ｂ２と第１、第３のシート２ａ，２ｃとの間に被介助者の身体や皮膚が挟まれて怪我したり創傷したりするという危険性を低減することができる。
【００５６】
なお、第２のシート２ｂの外方側の部位２ｂ２，２ｂ２には入浴介助者が掴める掴み部２３，２３が形成されている。これにより、第２のシート２ｂの外方側の部位２ｂ２，２ｂ２を可動させるときに掴み部２３，２３を掴み易く、外方側の部位２ｂ２，２ｂ２の回動操作を行う上で好ましい。
【００５７】
なお、本実施形態では、入浴用機器として担架１を説明したが、入浴用機器としては、担架に限定されることなく、例えば、入浴用車椅子の椅子部や昇降式ストレッチャー等にも本発明を適用することができる。
【００５８】
また、上述の実施形態では、担架１にマット部材２０を被覆するようにしたが、必ずしもマット部材２０を設けなくてもよい。マット部材２０は、取り外し可能として、洗うなどのメンテナンスを容易とし、収納についてもコンパクトに行えるようにするとよい。
【００５９】
なお、以下の他の実施形態で説明するように、第２のシート２ｂの内方側の部位２ｂ１の幅方向両側の外方側の部位２ｂ２，２ｂ２を個々独立に可動させて前述した第２、第３の位置に維持する操作と、外方側の部位２ｂ２，２ｂ２を同時に可動させて第２、第３の位置に維持する操作とを、入浴介助者が任意に選択できるようにしてもよい。
【００６０】
図７〜図１０を参照して、本発明の他の実施形態に係る入浴用機器を説明する。図７は、同入浴用機器の要部の斜視図である。図８は、図７のＢ−Ｂ矢視方向の断面図であり、両外方側の部位２ｂ２が回動していない初期位置に保持されている状態を示す。図９は、図８に対応し、両外方側の部位２ｂ２が回動して第３の位置に保持されている状態の拡大断面図である。図１０は、図８に対応し、両外方側の部位２ｂ２のうち、一方の外方側の部位２ｂ２のみが回動して第３の位置に保持されている状態の拡大断面図である。
【００６１】
外方側の部位２ｂ２それぞれにおいて、リンク片２４とリンク片２５はリンク軸２６で連結されている。リンク片２４と第１の支持部材２７が軸αで連結されている。リンク片２８の先端と第１の支持部材２７が軸γで連結されている。第２の支持部材２９は外方側の部位２ｂ２と軸βで連結されている。外方側の部位２ｂ２、第２の支持部材２９、リンク片２４にはそれぞれ円穴Ｈ１〜Ｈ３が設けられる。図８に示すように、外方側の部位２ｂ２を水平位置まで倒すと、３個の円穴Ｈ１〜Ｈ３が担架の長辺方向に同心円状となるように配列され、この３個の円穴Ｈ１〜Ｈ３にピン３０を挿通させることができる。一方の外方側の部位２ｂ２のリンク片２５の一端と、他方の外方側の部位２ｂ２のリンク片２５の一端とは、連結片３１により連結されている。同様に、一方の外方側の部位２ｂ２のリンク片２８の一端と、他方の外方側の部位２ｂ２のリンク片２８の一端とは、連結片３２により連結されている。連結片３１及び連結片３２は共通軸δにて担架本体１８に回動自在に軸着されている。
【００６２】
図９に示すように、一方及び他方の外方側の部位２ｂ２の円穴Ｈ１〜Ｈ３にピン３０が挿通された状態で一方の外方側の部位２ｂ２を持ち上げると、一方の外方側の部位２ｂ２にある第２の支持部材２９とリンク片２４とリンク片２５と一方の外方側の部位２ｂ２とが一体となって動作し、軸αを支点に第１の支持部材２７が回動し、第１の支持部材２７の突出部２７ａがリンク受け３３の段差面３３ａに係合し、一方の外方側の部位２ｂ２が第３の位置で保持される。さらに、一方の外方側の部位２ｂ２にあるリンク片２４とリンク片２５と一方の外方側の部位２ｂ２との一体動作が、連結片３１を介して他方の外方側の部位２ｂ２にあるリンク片２５とリンク片２４に伝達される。これにより他方の外方側の部位２ｂ２は、一方の外方側の部位２ｂ２と同時に持ち上げられ、軸αを支点に第１の支持部材２７が回動し、第１の支持部材２７の突出部２７ａがリンク受け３３の段差面３３ａに係合し、他方の外方側の部位２ｂ２が第３の位置に保持される。
【００６３】
跳ね上げられた左右の外方側の部位２ｂ２の一方を下降させようとして、一方の外方側の部位２ｂ２にある第１の支持部材２７が介助者によって操作されると、一方の外方側の部位２ｂ２にあるリンク片２８が連動動作し、さらにこのリンク片２８の動作が連結片３２を介して、他方の外方側の部位２ｂ２にあるリンク片２８に伝達し、さらにリンク片２８に連結された他方の外方側の部位２ｂ２にある第１の支持部材２７が連動動作する。突出部２７ａの段差面３３ａへの係合を解除することにより、他方の外方側の部位２ｂ２は、一方の外方側の部位２ｂ２に連動して下降する。
【００６４】
図８、図９の状態では、円穴Ｈ１〜Ｈ３にピン３０が挿通された状態であるが、図１０の状態では、個別に回動操作させる外方側の部位（図１０では、右側に位置する外方側の部位２ｂ２）において円穴Ｈ１〜Ｈ３からピン３０が抜き取られる。この状態で、ピン３０が抜き取られた側に位置する外方側の部位２ｂ２（以下、ピン抜き外方側の部位２ｂ２という）を持ち上げると、ピン抜き外方側の部位２ｂ２において、軸βを支点に第２の支持部材２９が回動し、第２の支持部材２９の突出部２９ａがリンク受け３３の段差面３３ａに係合しピン抜き外方側の部位２ｂ２だけが回動後の第３の位置で保持される。このとき、ピン抜き外方側の部位２ｂ２の第１の支持部材２７やリンク片２４、２５、２８は動作せず、そのため、ピン抜き外方側の部位２ｂ２における回動動作は、他方の外方側の部位２ｂ２には伝達されず、したがって、他方の外方側の部位２ｂ２は連動動作しない。
【００６５】
以上、本発明の実施形態について説明したが、本発明は上述の実施形態に限定されるものではなく、その趣旨を逸脱しない範囲内で種々適宜に変更可能である。
【符号の説明】
【００６６】
１  担架
２  載置部
２ｂ  第２のシート
２ｂ１  第２のシート２ｂの内方側の部位
２ｂ２，２ｂ２  第２のシート２ｂの外方側の部位
１０  シャフト
１１  リンク
１２  リンク受け
１３  圧縮バネ機構
２０  マット部材
２１，２２  空隙
２３  掴み部
【図１】
2014061059.tif 000003
【図２】
2014061059.tif 000004
【図３】
2014061059.tif 000005
【図４】
2014061059.tif 000006
【図５】
2014061059.tif 000007
【図６】
2014061059.tif 000008
【図７】
2014061059.tif 000009
【図８】
2014061059.tif 000010
【図９】
2014061059.tif 000011
【図１０】
2014061059.tif 000012